【手続補正書】
【提出日】平成24年8月8日(2012.8.8)
【手続補正１】
【補正対象書類名】明細書
【補正対象項目名】発明の名称
【補正方法】変更
【補正の内容】
【発明の名称】領域特定方法、領域特定装置、プログラム、サーバ及びシステム
【手続補正２】
【補正対象書類名】明細書
【補正対象項目名】０００１
【補正方法】変更
【補正の内容】
【０００１】
本発明は、領域特定方法、領域特定装置、プログラム、サーバ及びシステムに関する。
【手続補正３】
【補正対象書類名】明細書
【補正対象項目名】０００５
【補正方法】変更
【補正の内容】
【０００５】
本発明は、このような問題に鑑みてなされたものであり、本発明の課題は、被写体領域の特定を簡便に、且つ、適正に行うことができる領域特定方法、領域特定装置、プログラム、サーバ及びシステムを提供することである。
【手続補正４】
【補正対象書類名】明細書
【補正対象項目名】０００６
【補正方法】変更
【補正の内容】
【０００６】
上記課題を解決するため、請求項１に記載の発明の領域特定方法は、
背景と被写体とが存在する被写体存在画像から被写体が含まれる被写体領域を特定する領域特定方法であって、前記被写体存在画像における任意に指定された境界線により区分される複数の区分領域から、各区分領域の縁部を構成する前記被写体存在画像の画像境界の画素数を算出する算出ステップと、前記複数の区分領域の中から算出した画素数が当該縁部の全画素数に対して所定の割合以上となる領域を基準領域として特定する基準領域特定ステップと、この基準領域特定ステップにより特定された前記基準領域を基準として、前記被写体存在画像における前記複数の区分領域の中から前記被写体領域を特定する被写体領域特定ステップと、を含むことを特徴としている。
【手続補正５】
【補正対象書類名】明細書
【補正対象項目名】０００７
【補正方法】変更
【補正の内容】
【０００７】
請求項２に記載の発明は、請求項１に記載の領域特定方法において、
前記被写体領域特定ステップは、前記被写体存在画像における前記複数の区分領域から前記基準領域特定ステップにより特定された前記基準領域を除外して、前記被写体領域を特定することを特徴としている。
【手続補正６】
【補正対象書類名】明細書
【補正対象項目名】０００８
【補正方法】変更
【補正の内容】
【０００８】
請求項３に記載の発明は、請求項１又は２に記載の領域特定方法において、
前記被写体存在画像の複数の画像境界のうち、所定の表示領域に表示された状態の当該被写体存在画像における下側画像境界を特定する境界特定ステップを更に備え、前記基準領域特定ステップは、更に、前記被写体存在画像における前記複数の区分領域で、前記境界特定ステップにより特定された下側画像境界を構成する画素数を前記算出ステップにおいて計数せずに所定の演算を行って、前記基準領域を特定することを特徴としている。
【手続補正７】
【補正対象書類名】明細書
【補正対象項目名】０００９
【補正方法】変更
【補正の内容】
【０００９】
請求項４に記載の発明は、請求項３に記載の領域特定方法において、
前記被写体存在画像から被写体の顔を検出する検出ステップを更に備え、前記境界特定ステップは、更に、前記被写体存在画像の複数の画像境界のうち、前記検出ステップにより検出された被写体の顔の向きに対して下側となる画像境界を前記下側画像境界として特定することを特徴としている。
【手続補正８】
【補正対象書類名】明細書
【補正対象項目名】００１０
【補正方法】変更
【補正の内容】
【００１０】
請求項５に記載の発明は、請求項１〜４の何れか一項に記載の領域特定方法において、
前記被写体存在画像から被写体の顔を検出する検出ステップを更に備え、前記被写体領域特定ステップは、更に、前記検出ステップによる検出結果を基準として、前記被写体存在画像における前記複数の区分領域の中から前記被写体領域を特定することを特徴としている。
【手続補正９】
【補正対象書類名】明細書
【補正対象項目名】００１１
【補正方法】変更
【補正の内容】
【００１１】
請求項６に記載の発明は、請求項５に記載の領域特定方法において、
前記被写体領域特定ステップは、更に、前記被写体存在画像における前記複数の区分領域の中で、前記検出ステップにより検出された被写体の顔の向きに対して下側の画像境界を最も多く含む区分領域を、前記被写体領域として特定することを特徴としている。
【手続補正１０】
【補正対象書類名】明細書
【補正対象項目名】００１２
【補正方法】変更
【補正の内容】
【００１２】
請求項７に記載の発明は、請求項５に記載の領域特定方法において、
前記被写体領域特定ステップは、更に、前記被写体存在画像における前記複数の区分領域の中で、前記検出ステップにより検出された被写体の顔を含む区分領域を、前記被写体領域として特定することを特徴としている。
【手続補正１１】
【補正対象書類名】明細書
【補正対象項目名】００１３
【補正方法】変更
【補正の内容】
【００１３】
請求項８に記載の発明は、請求項１〜７の何れか一項に記載の領域特定方法において、
被写体となる人の胸から上を撮像した前記被写体存在画像から前記被写体領域を特定するための所定のモードを設定する設定ステップを更に備え、前記設定ステップにより前記所定のモードが設定された場合に、前記基準領域特定ステップにより前記基準領域を特定する処理と、前記被写体領域特定ステップにより前記被写体領域を特定する処理とを行うことを特徴としている。
【手続補正１２】
【補正対象書類名】明細書
【補正対象項目名】００１４
【補正方法】変更
【補正の内容】
【００１４】
請求項９に記載の発明は、請求項１〜８の何れか一項に記載の領域特定方法において、
前記被写体領域特定ステップは、更に、前記被写体存在画像から特定された前記被写体領域を抽出する処理を行うことを特徴としている。
【手続補正１３】
【補正対象書類名】明細書
【補正対象項目名】００１５
【補正方法】変更
【補正の内容】
【００１５】
請求項１０に記載の発明の領域特定方法は、
背景と被写体とが存在する被写体存在画像から被写体が含まれる被写体領域を特定する領域特定方法であって、境界線を任意に指定する指定ステップと、前記被写体存在画像における前記境界線により区分される複数の区分領域の中から、各区分領域の縁部を構成する画素のうち、当該被写体存在画像の下側画像境界を構成する画素を計数せずに、前記被写体存在画像の画像境界の画素の数が最も少ない区分領域を、被写体領域として特定する特定ステップと、を含むことを特徴としている。
【手続補正１４】
【補正対象書類名】明細書
【補正対象項目名】００１６
【補正方法】変更
【補正の内容】
【００１６】
請求項１１に記載の発明の領域特定装置は、
背景と被写体とが存在する被写体存在画像から被写体が含まれる被写体領域を特定する領域特定装置であって、所定の表示領域に表示される前記被写体存在画像にて、任意に境界線を指定する指定手段と、前記被写体存在画像における任意に指定された境界線により区分される複数の区分領域から、各区分領域の縁部を構成する前記被写体存在画像の画像境界の画素数を算出し、前記複数の区分領域の中から算出した画素数が当該縁部の全画素数に対して所定の割合以上となる領域を基準領域として特定する基準領域特定手段と、この基準領域特定手段により特定された前記基準領域を基準として、前記被写体存在画像における前記複数の区分領域の中から前記被写体領域を特定する被写体領域特定手段と、を備えることを特徴としている。
【手続補正１５】
【補正対象書類名】明細書
【補正対象項目名】００１７
【補正方法】変更
【補正の内容】
【００１７】
請求項１２に記載の発明のプログラムは、
背景と被写体とが存在する被写体存在画像から被写体が含まれる被写体領域を特定する領域特定装置のコンピュータを、所定の表示領域に表示される前記被写体存在画像にて、任意に境界線を指定する指定手段、前記被写体存在画像における任意に指定された境界線により区分される複数の区分領域から、各区分領域の縁部を構成する前記被写体存在画像の画像境界の画素数を算出し、前記複数の区分領域の中から算出した画素数が当該縁部の全画素数に対して所定の割合以上となる領域を基準領域として特定する基準領域特定手段、この基準領域特定手段により特定された前記基準領域を基準として、前記被写体存在画像における前記複数の区分領域の中から前記被写体領域を特定する被写体領域特定手段、として機能させることを特徴としている。
請求項１３に記載の発明のサーバは、
端末装置とネットワークを介して接続されたサーバであって、端末装置から被写体存在画像の画像データと、この被写体存在画像における境界線の指定指示を受信する受信手段と、前記被写体存在画像における任意に指定された境界線により区分される複数の区分領域から、各区分領域の縁部を構成する前記被写体存在画像の画像境界の画素数を算出し、前記複数の区分領域の中から算出した画素数が当該縁部の全画素数に対して所定の割合以上となる領域を基準領域として特定する基準領域特定手段と、この基準領域特定手段により特定された前記基準領域を基準として、前記被写体存在画像における前記複数の区分領域の中から被写体が含まれる被写体領域を特定する被写体領域特定手段と、を備えることを特徴としている。
請求項１４に記載の発明のシステムは、
端末装置と、この端末装置とネットワークを介して接続されたサーバとを備えたシステムであって、前記端末装置は、被写体存在画像の画像データと、当該被写体存在画像における境界線の指定指示をサーバに送信する送信手段を備え、前記サーバは、前記端末装置から送信された被写体存在画像の画像データと、当該被写体存在画像における境界線の指定指示を受信する受信手段と、前記被写体存在画像における任意に指定された境界線により区分される複数の区分領域から、各区分領域の縁部を構成する前記被写体存在画像の画像境界の画素数を算出し、前記複数の区分領域の中から算出した画素数が当該縁部の全画素数に対して所定の割合以上となる領域を基準領域として特定する基準領域特定手段と、この基準領域特定手段により特定された前記基準領域を基準として、前記被写体存在画像における前記複数の区分領域の中から被写体が含まれる被写体領域を特定する被写体領域特定手段と、を備えることを特徴としている。
【手続補正１６】
【補正対象書類名】特許請求の範囲
【補正対象項目名】全文
【補正方法】変更
【補正の内容】
【特許請求の範囲】
【請求項１】
背景と被写体とが存在する被写体存在画像から被写体が含まれる被写体領域を特定する領域特定方法であって、
前記被写体存在画像における任意に指定された境界線により区分される複数の区分領域から、各区分領域の縁部を構成する前記被写体存在画像の画像境界の画素数を算出する算出ステップと、
前記複数の区分領域の中から算出した画素数が当該縁部の全画素数に対して所定の割合以上となる領域を基準領域として特定する基準領域特定ステップと、
この基準領域特定ステップにより特定された前記基準領域を基準として、前記被写体存在画像における前記複数の区分領域の中から前記被写体領域を特定する被写体領域特定ステップと、
を含むことを特徴とする領域特定方法。
【請求項２】
前記被写体領域特定ステップは、
前記被写体存在画像における前記複数の区分領域から前記基準領域特定ステップにより特定された前記基準領域を除外して、前記被写体領域を特定することを特徴とする請求項１に記載の領域特定方法。
【請求項３】
前記被写体存在画像の複数の画像境界のうち、所定の表示領域に表示された状態の当該被写体存在画像における下側画像境界を特定する境界特定ステップを更に備え、
前記基準領域特定ステップは、更に、
前記被写体存在画像における前記複数の区分領域で、前記境界特定ステップにより特定された下側画像境界を構成する画素数を前記算出ステップにおいて計数せずに所定の演算を行って、前記基準領域を特定することを特徴とする請求項１又は２に記載の領域特定方法。
【請求項４】
前記被写体存在画像から被写体の顔を検出する検出ステップを更に備え、
前記境界特定ステップは、更に、
前記被写体存在画像の複数の画像境界のうち、前記検出ステップにより検出された被写体の顔の向きに対して下側となる画像境界を前記下側画像境界として特定することを特徴とする請求項３に記載の領域特定方法。
【請求項５】
前記被写体存在画像から被写体の顔を検出する検出ステップを更に備え、
前記被写体領域特定ステップは、更に、
前記検出ステップによる検出結果を基準として、前記被写体存在画像における前記複数の区分領域の中から前記被写体領域を特定することを特徴とする請求項１〜４の何れか一項に記載の領域特定方法。
【請求項６】
前記被写体領域特定ステップは、更に、
前記被写体存在画像における前記複数の区分領域の中で、前記検出ステップにより検出された被写体の顔の向きに対して下側の画像境界を最も多く含む区分領域を、前記被写体領域として特定することを特徴とする請求項５に記載の領域特定方法。
【請求項７】
前記被写体領域特定ステップは、更に、
前記被写体存在画像における前記複数の区分領域の中で、前記検出ステップにより検出された被写体の顔を含む区分領域を、前記被写体領域として特定することを特徴とする請求項５に記載の領域特定方法。
【請求項８】
被写体となる人の胸から上を撮像した前記被写体存在画像から前記被写体領域を特定するための所定のモードを設定する設定ステップを更に備え、
前記設定ステップにより前記所定のモードが設定された場合に、前記基準領域特定ステップにより前記基準領域を特定する処理と、前記被写体領域特定ステップにより前記被写体領域を特定する処理とを行うことを特徴とする請求項１〜７の何れか一項に記載の領域特定方法。
【請求項９】
前記被写体領域特定ステップは、更に、
前記被写体存在画像から特定された前記被写体領域を抽出する処理を行うことを特徴とする請求項１〜８の何れか一項に記載の領域特定方法。
【請求項１０】
背景と被写体とが存在する被写体存在画像から被写体が含まれる被写体領域を特定する領域特定方法であって、
境界線を任意に指定する指定ステップと、
前記被写体存在画像における前記境界線により区分される複数の区分領域の中から、各区分領域の縁部を構成する画素のうち、当該被写体存在画像の下側画像境界を構成する画素を計数せずに、前記被写体存在画像の画像境界の画素の数が最も少ない区分領域を、被写体領域として特定する特定ステップと、
を含むことを特徴とする領域特定方法。
【請求項１１】
背景と被写体とが存在する被写体存在画像から被写体が含まれる被写体領域を特定する領域特定装置であって、
所定の表示領域に表示される前記被写体存在画像にて、任意に境界線を指定する指定手段と、
前記被写体存在画像における任意に指定された境界線により区分される複数の区分領域から、各区分領域の縁部を構成する前記被写体存在画像の画像境界の画素数を算出し、前記複数の区分領域の中から算出した画素数が当該縁部の全画素数に対して所定の割合以上となる領域を基準領域として特定する基準領域特定手段と、
この基準領域特定手段により特定された前記基準領域を基準として、前記被写体存在画像における前記複数の区分領域の中から前記被写体領域を特定する被写体領域特定手段と、
を備えることを特徴とする領域特定装置。
【請求項１２】
背景と被写体とが存在する被写体存在画像から被写体が含まれる被写体領域を特定する領域特定装置のコンピュータを、
所定の表示領域に表示される前記被写体存在画像にて、任意に境界線を指定する指定手段、
前記被写体存在画像における任意に指定された境界線により区分される複数の区分領域から、各区分領域の縁部を構成する前記被写体存在画像の画像境界の画素数を算出し、前記複数の区分領域の中から算出した画素数が当該縁部の全画素数に対して所定の割合以上となる領域を基準領域として特定する基準領域特定手段、
この基準領域特定手段により特定された前記基準領域を基準として、前記被写体存在画像における前記複数の区分領域の中から前記被写体領域を特定する被写体領域特定手段、
として機能させることを特徴とするプログラム。
【請求項１３】
端末装置とネットワークを介して接続されたサーバであって、
端末装置から被写体存在画像の画像データと、この被写体存在画像における境界線の指定指示を受信する受信手段と、
前記被写体存在画像における任意に指定された境界線により区分される複数の区分領域から、各区分領域の縁部を構成する前記被写体存在画像の画像境界の画素数を算出し、前記複数の区分領域の中から算出した画素数が当該縁部の全画素数に対して所定の割合以上となる領域を基準領域として特定する基準領域特定手段と、
この基準領域特定手段により特定された前記基準領域を基準として、前記被写体存在画像における前記複数の区分領域の中から被写体が含まれる被写体領域を特定する被写体領域特定手段と、
を備えることを特徴とするサーバ。
【請求項１４】
端末装置と、この端末装置とネットワークを介して接続されたサーバとを備えたシステムであって、
前記端末装置は、
被写体存在画像の画像データと、当該被写体存在画像における境界線の指定指示をサーバに送信する送信手段を備え、
前記サーバは、
前記端末装置から送信された被写体存在画像の画像データと、当該被写体存在画像における境界線の指定指示を受信する受信手段と、
前記被写体存在画像における任意に指定された境界線により区分される複数の区分領域から、各区分領域の縁部を構成する前記被写体存在画像の画像境界の画素数を算出し、前記複数の区分領域の中から算出した画素数が当該縁部の全画素数に対して所定の割合以上となる領域を基準領域として特定する基準領域特定手段と、
この基準領域特定手段により特定された前記基準領域を基準として、前記被写体存在画像における前記複数の区分領域の中から被写体が含まれる被写体領域を特定する被写体領域特定手段と、
を備えることを特徴とするシステム。